(57)【特許請求の範囲】
【請求項１】
粉塵を除去する除塵フィルター、悪臭を脱臭する脱臭フィルター、有害ガスを除去する有害ガス除去フィルター等で構成される基本フィルター部と、粉塵や悪臭を含んだ空気を吸引するモーターファンとを具備している空気清浄器であって、脱臭又は特定のガスを除去するための付加フィルター部を上記基本フィルター部に付加し、基本フィルター部と付加フィルター部との端面にそれぞれ当接する壁面を本体から立設させ、この壁面の高さを両フィルター部の当接面より高くし、上記基本フィルター部のフィルター端面を波形に形成し、この波形の面を本体から立設した左右の壁面に当接させると共に、左右の壁面の一部に基本フィルター部の取り出し用の切り欠き部を切り欠き形成したことを特徴とする空気清浄器。
【請求項２】
付加フィルター部の枠体を板状体で構成したことを特徴とする請求項１記載の空気清浄器。
【請求項３】
付加フィルター部の付加後と付加前とで、モーターファンからの空気の吸引量を変更可能に制御することを特徴とする請求項１記載の空気清浄器。
【請求項４】
付加フィルター部の有無をモーターファンの回転数により検知して空気の吸引量を変更可能に制御することを特徴とする請求項１記載の空気清浄器。
【請求項５】
付加フィルター部の有無を検知して、空気の吸引量を変更可能に制御することを特徴とする請求項１記載の空気清浄器。
【請求項６】
付加フィルター部の付加時に空気の吸引量を変更可能に制御する手動のスイッチを備えていることを特徴とする請求項１記載の空気清浄器。
【請求項７】
付加フィルター部の付加後に、空気の吸引量が変わらない送風特性としたことを特徴とする請求項１記載の空気清浄器。
【請求項８】
基本フィルター部の前面に設置されるグリルに、本体から立設した壁面の切り欠き部を閉塞するための閉塞片を設けたことを特徴とする請求項１記載の空気清浄器。
【請求項９】
本体から付加フィルター部の背面に当接する高さ規定用リブを立設し、該高さ規定用リブは、付加フィルター部の一端側を押し込み可能とすると共に、付加フィルター部の一端側の押し込み時に一端側とは反対側を浮かせて取り出し可能に支持してなることを特徴とする請求項１記載の空気清浄器。
【請求項１０】
付加フィルター部の端面に剛性のない取り出し片を設けたことを特徴とする請求項１記載の空気清浄器。
【請求項１１】
本体から立設した壁面に付加フィルター部を浮かせるためのフィルター取り出し用の回転レバーを設けたことを特徴とする請求項１記載の空気清浄器。
【請求項１２】
付加フィルター部の端面に基本フィルター部と係合可能な引掛け用リブを設けたことを特徴とする請求項１記載の空気清浄器。
【請求項１３】
本体から立設した壁面に、付加フィルター部を浮かせるためのスライドレバーを設けたことを特徴とする請求項１記載の空気清浄器。
【請求項１４】
本体にラッチを設け、付加フィルター部にラッチと係合する突起を設け、付加フィルター部の突起の部分を押圧することでラッチと突起との係合、及び係合解除ができるように構成されていることを特徴とする請求項１記載の空気清浄器。
【請求項１５】
付加フィルター部の端面に剛性のある取り出し片を一体に設け、付加フィルター部の外周に弾性のあるシール材を取着し、本体に上記シール材に当接するリブを略四角形状に設けたことを特徴とする請求項１記載の空気清浄器。
【発明の詳細な説明】
【０００１】
【発明の属する技術分野】
本発明は、室内の空気の清浄化を行う空気清浄器に関するものである。
【０００２】
【従来の技術】
従来、粉塵を除去する除塵フィルターと、悪臭を脱臭する脱臭フィルターと、有害ガスを除去する有害ガス除去フィルターと、粉塵や悪臭を含んだ空気を吸引するモーターファンとを具備している空気清浄器において、さらにウレタンフォームや不織布等のシート材に活性炭を添着したフィルターを取り付けることが知られている。
【０００３】
【発明が解決しようとする課題】
ところが、従来のようなウレタンフォームや不織布に活性炭を添着したフィルターにあっては、例えばタバコの臭気除去とかペットの臭い取り、或いは新築住宅内などのホルムアルデヒド除去、大気中の窒素酸化物除去など、使用するユーザーの要望にそれぞれ応えることは到底できなかった。このため色々なユーザーのニーズに合った使い方をしようとすれば、空気清浄器の種類を増やす必要があった。
【０００４】
本発明は、上記の従来例の問題点に鑑みて発明したものであって、その目的とするところは、ユーザーのニーズに対応した目的別の脱臭又は特定のガス除去等の機能を付加することができる空気清浄器を提供するにあり、別の目的とするところは、付加フィルター部の取り付けを基本フィルター部とは独立して簡単に行えるようにした空気清浄器を提供するにあり、また別の目的とするところは、付加フィルター部を付加した場合でも、空気の吸引量を変えずに除塵性能を維持することができる空気清浄器を提供するにあり、また別の目的とするところは、付加フィルター部の付加によってフィルター全体の厚みが増加した場合でもフィルター端面からの空気のリークを防止できると共に、フィルターの着脱動作を容易に行うことができる空気清浄器を提供するにある。
【０００５】
【課題を解決するための手段】
上記課題を解決するために本発明は、粉塵を除去する除塵フィルター、悪臭を脱臭する脱臭フィルター、有害ガスを除去する有害ガス除去フィルター等で構成される基本フィルター部１と、粉塵や悪臭を含んだ空気を吸引するモーターファン３とを具備している空気清浄器であって、脱臭又は特定のガスを除去するための付加フィルター部２を上記基本フィルター部１に付加し、基本フィルター部１と付加フィルター部２との端面にそれぞれ当接する壁面８を本体９から立設させ、この壁面８の高さを両フィルター部１，２の当接面より高くし、上記基本フィルター部１のフィルター端面１ｃを波形に形成し、波形の面を本体９から立設した左右の壁面８に当接させると共に、左右の壁面８の一部に基本フィルター部１の取り出し用の切り欠き部１０を切り欠き形成したことを特徴としており、このように構成することで、既存のフィルター機能に加えて、ユーザーのニーズに対応した目的別の脱臭又は特定のガス除去等を付加フィルター部２によって得ることができる。しかも基本フィルター部１と付加フィルター部２との端面にそれぞれ当接する壁面８を本体９から立設させ、この壁面８の高さを両フィルター部１，２の当接面より高くし、上記基本フィルター部１のフィルター端面１ｃを波形に形成し、波形の面を本体９から立設した左右の壁面８に当接させると共に、左右の壁面８の一部に基本フィルター部１の取り出し用の切り欠き部１０を切り欠き形成したので、壁面８を本体９から立設させてリーク防止を図る構造でありながら、基本フィルター部１及び付加フィルター部２の取り出しを容易に行えるようになる。
【０００６】
また上記付加フィルター部２の枠体５を板状体で構成するのが好ましく、この場合、付加フィルター部２自体が自己保形性を有することにより、付加フィルター部２を基本フィルター部１とは別に独立して本体９に容易に取り付け可能となる。
【０００７】
また上記付加フィルター部２の付加後と付加前とで、モーターファン３からの空気の吸引量を変更可能に制御するのが好ましい。
【０００８】
また上記付加フィルター部２の有無をモーターファン３の回転数により検知して空気の吸引量を変更可能に制御するのが好ましい。
【０００９】
また上記付加フィルター部２の有無を検知して、空気の吸引量を変更可能に制御するのが好ましい。
【００１０】
また上記付加フィルター部２の付加時に空気の吸引量を変更可能に制御する手動のスイッチ６を備えているのが好ましい。
【００１１】
また上記付加フィルター部２の付加後に、空気の吸引量が変わらない送風特性とするのが好ましい。
【００１２】
このように構成することで、付加フィルター部２の付加後にモーターファン３からの空気の吸引量が減少することなく除塵性能を維持できるようになる。
【００１５】
また上記基本フィルター部１の前面に設置されるグリル１１に、本体９から立設した壁面８の切り欠き部１０を閉塞するための閉塞片１２を設けるのが好ましい。
【００１６】
また上記本体９から付加フィルター部２の背面に当接する高さ規定用リブ１３を立設し、該高さ規定用リブ１３は、付加フィルター部２の一端側を押し込み可能とすると共に、付加フィルター部２の一端側の押し込み時に一端側とは反対側を浮かせて取り出し可能に支持してなるのが好ましい。
【００１７】
また上記付加フィルター部２の端面に剛性のない取り出し片１４を設けるのが好ましい。また上記本体９から立設した壁面８に付加フィルター部２を浮かせるためのフィルター取り出し用の回転レバー１５を設けるのが好ましい。
【００１８】
また上記付加フィルター部２の端面に基本フィルター部１と係合可能な引掛け用リブ１６を設けるのが好ましい。
【００１９】
また上記本体９から立設した壁面８に、付加フィルター部２を浮かせるためのスライドレバー１７を設けるのが好ましい。
【００２０】
また上記本体９にラッチ１８を設け、付加フィルター部２にラッチ１８と係合する突起１９を設け、付加フィルター部２の突起１９の部分を押圧することでラッチ１８と突起１９との係合、及び係合解除ができるように構成されているのが好ましい。
【００２１】
また上記付加フィル部の端面に剛性のある取り出し片２０を一体に設け、付加フィルター部２の外周に弾性のあるシール材２１を取着し、本体９に上記シール材２１に当接するリブ２２を略四角形状に設けるのが好ましい。
【００２２】
このように構成することで、壁面８を本体９から立設させてリーク防止を図る構造でありながら、基本フィルター部１及び付加フィルター部２の取り出しを容易に行えるようになる。
【００２３】
【発明の実施の形態】
以下、本発明を添付図面に示す実施形態に基づいて説明する。
【００２４】
図１は本発明の付加フィルター部２を付加した場合の空気清浄器４を示している。図２は本発明の付加フィルター部２が付加可能な空気清浄器４を示し、図３は吸い込みのグリル１１を取り外した状態を示し、図４はグリル１１、基本フィルター部１、本体９の分解斜視図を示し、図５は基本フィルター部１のみを付加した空気清浄器４の側面断面図を示している。図５において、制御回路５０の運転のスイッチを操作することにより、モーター２３が回転し、モーターファン３が回転する。これにより、図５の矢印のように空気は、グリル１１の吸い込み口２４から吸引され、基本フィルター部１を通過し、吐き出し口２５より送風される。基本フィルター部１は、図６に示すように、波状に折られたフィルター部１ａ1と平面状のフィルター部１ａ2とで囲まれたスペース内に活性炭等の脱臭剤１ｂが充填されている。
【００２５】
図７は本体９の前面部に付加フィルター部２を重ねて付加した状態の斜視図を示し、図８はその断面図を示している。図８において、制御回路５０の運転のスイッチを操作することにより、モーター２３が回転し、モーターファン３が回転する。これにより、図８の矢印のように空気は、グリル１１の吸い込み口２４から吸引され、基本フィルター部１、付加フィルター部２を順に通過して、吐き出し口２５より送風されるようになっている。
【００２６】
ここで、上記付加フィルター部２は、剛性のない袋体（例えば不織布等）の内部に脱臭剤を充填して構成されたり、或いは、剛性のある枠体の内部に脱臭剤を充填して構成されるものである。本例では図９に示すように、剛性のある枠体５の内部に脱臭剤２６を充填したものを例示する。図９において、付加フィルター部２の枠体５は、剛性のある孔明き表面板５ａと孔明き裏面板５ｂと外周枠５ｄとで箱状に形成されており、その内部が格子状の仕切り５ｃによって複数の空間に仕切られ、各空間内に脱臭剤２６がそれぞれ充填されている。このような枠５を構成することで、付加フィルター部２自体が自己保形性を有することとなり、しかも脱臭剤２６が偏ることなく均一に充填配置できるようになる。脱臭剤２６は、取りたい臭気により種類が変えられている。たとえば、特にタバコの臭気を取りたい場合はタバコに効果のある脱臭剤を充填し、また、ペットの臭いの場合はペット用の脱臭剤を充填し、また、新築住宅内などのホルムアルデヒドを取りたい場合はホルムアルデヒドを除去する効果のある脱臭剤を充填し、また、大気中の窒素酸化物を取りたい場合は窒素酸化物を除去する効果のある脱臭剤を充填するなど、その目的により脱臭剤２６の種類を変えることができる。
【００２７】
しかして、汚れた空気が基本フィルター部１を通過することにより、除塵と脱臭が行われ、かつ、付加フィルター部２を通過することにより、その目的の脱臭が行われ、清浄な空気が吐き出し口２５より送風されるようになる。特に、高性能でかつ取りたい脱臭の付加フィルター部２を搭載することにより、空気清浄器４をユーザーのニーズに合った使い方が提案でき、一台の空気清浄器４で色々なユーザーのニーズに幅広く対応できるものとなる。
【００２８】
また、付加フィルター部２の枠体５は、剛性のある板状体で構成されているので、それ自体が自己保形性を有しており、既存の基本フィルター部１とは独立して取り付けることが容易である。さらに、付加フィルター部２の内部は格子状の仕切り５ｃで仕切られているため、その内部に充填される脱臭剤２６の位置がずれることがないので、付加フィルター部２全面に亘って脱臭効果が得られるものである。
【００２９】
次に、付加フィルター部２を付加することにより、圧力損失が大きくなり、付加フィルター部２を付加したら空気清浄器４の風量が変わり、除塵性能が低下する可能性がある。
【００３０】
これを防止するための方法として以下、４つの例を挙げる。第１の例は、付加フィルター部２を付加することにより、圧力損失が大きくなり、モーター２３の回転数が遅くなる。これをモーター回転数検知センサー（図示せず）にて検知して、風量が低下しない回転数となるようにモーター２３を駆動制御する方法である。これにより、付加フィルター部２の付加後にもモーターファン３からの空気の吸引量が減少することがなく、除塵性能を維持できるようになる。
【００３１】
第２の例は、図１０〜図１２に示すように、付加フィルター部２の隅部を検知するためのフォトトランジスタ２６を本体９の上部に設置し、付加フィルター部２を検知したときに、風量が低下しないモーターファン３の回転数となるようにモーター２３を駆動制御する方法である。ここで図１１は付加フィルター部２が付加されていない場合であり、この場合は基本フィルター部１が後方に位置しており、フォトトランジスタ２６の光は遮断されず、一方、図１２は付加フィルター部２が付加されている場合であり、この場合は基本フィルター部１が前方に位置して光を遮断する。これにより、付加フィルター部２の有無を検知でき、風量が低下しないモーターファン３の回転が得られるようにモーター２３を駆動制御することで、除塵性能の低下を防ぐことができる。
【００３２】
第３の例は、図１３に示すように、付加フィルター部２の付加時にユーザーが手動のスイッチ６を操作する方法である。スイッチ６が押されると、モーター回路が風量が低下しないファンの回転にモーター２３を制御することで、風量低下を防止できる。
【００３３】
第４の例は、付加フィルター部２の付加の有無により、風量があまり変化しないモーターファン３のＰ−Ｑ特性（圧力−風量特性）を利用する方法である。図１４のＬはＰ−Ｑ特性の一例を示し、Ａは基本フィルター部１の圧力損失特性を示し、Ｂは基本フィルター部１と付加フィルター部２の両方の圧力損失特性を示し、Ｑ1は基本フィルター部１のみの風量を示し、Ｑ2は基本フィルター部１と付加フィルター部２の両方の風量を示している。上記のＰ−Ｑ特性にはフィルターの圧力損失が変化しても風量が変化しない領域イが存在している。この領域イにおいてはＱ1とＱ2はあまり風量に差がないため、除塵性能に差がないものである。このようなＰ−Ｑ特性を利用することによって風量が低下しないファンの回転にモーター２３を制御することが可能となる。
【００３４】
次に、基本フィルター部１と付加フィルター部２を重ねて設置した場合において、フィルター全体の厚みが厚くなり、重なる部分のフィルター端面１ｃ，２ａからの空気のリークが発生しやすくなり、除塵の性能が低下する可能性がある。これを防止するために、本発明では、図１５に示すように、基本フィルター部１と付加フィルター部２との各端面１ｃ，２ａにそれぞれ当接する壁面８を本体９から立設させ、この壁面８の高さを両フィルター部１，２の当接面より高くしてある。ここでは、基本フィルター部１の厚みをｔ2、付加フィルター部２の厚みをｔ1、壁面８の立ちあがり高さをＴとしたとき、Ｔ＞ｔ1＋ｔ2の関係に設定してある。これにより、基本フィルター部１と付加フィルター部２との重なる部分からの空気のリークを本体９から立設する壁面８によって防止できるので、付加フィルター部２によってフィルターの厚みが厚くなった場合であっても、フィルター端面１ｃ，２ａでのシール性を高めることができる。
【００３５】
なお、上記のようにフィルター端面１ｃ，２ａからの空気のリークを防ぐために本体９からの壁面８を高くすると、今度はフィルターの取り出しがし難くなるという問題が生じる。これを防止するための方法として以下の図１６〜図２７を例示する。
【００３６】
先ず図１６は、基本フィルター部１のフィルター端面１ｃを波形に形成し、波形の面を本体９から立設した左右の壁面８にそれぞれ当接させると共に、左右の壁面８の一部に基本フィルター部１の取り出し用の切り欠き部１０をそれぞれ切り欠き形成してある。ここでは、基本フィルター部１の厚みと壁面８の立ちあがり高さとが、Ｔ1＜ｔ2の関係に設定してある。このように基本フィルター部１の取り出し用のために、左右の壁面８の一部をそれぞれ切り欠くことによって、切り欠き部１０からフィルター端面１ｃに手を掛けて取り出しやすくし、且つ、フィルター端面１ｃに手を掛けたとき、基本フィルター部１が変形しにくいように、ジグザグにプリーツ加工した面が、壁面８の切り欠き部１０に接するように構成されている。つまり、プリーツ加工した面に対して直角面から力を加えるとフィルターは変形しやすいが、プリーツ加工した面に手をかけても変形しにくいものであり、基本フィルター部１の取り出しが容易となる。
【００３７】
図１７は、基本フィルター部１の前面に設置されるグリル１１に、本体９から立設した壁面８の切り欠き部１０を閉塞するための閉塞片１２を設けた場合を示している。ここでは、壁面８の切り欠き部１０の深さＴ2をさらに深くしてあり、基本フィルター部１がより取り出しやすくなっている。さらにこの深い切り欠き部１０からのリークを防ぐため、グリル１１に切り欠き部１０を閉塞するための閉塞片１２を突出させてあるので、切り欠き部１０の深さを深くした場合でも空気のリークを防止できるものである。
【００３８】
図１８、図１９は、本体９から立設させた複数の高さ規定用リブ１３に付加フィルター部２の背面に当接させた構造において、高さ規定用リブ１３が、付加フィルター部２の一端側を押し込み可能とすると共に、付加フィルター部２の一端側の押し込み時に一端側とは反対側を浮かせて取り出し可能となるようにしてある。ここでは図１８に示すように、付加フィルター部２の一端部（図１８の破線部分）には高さ規定用リブ１３は設けられておらず、付加フィルター部２を取り出す際に、図１９の矢印ハで示すように、付加フィルター部２の一端部を押すと、反対側の端部（図１９の切り欠き部１０が設けられている側の端部）が図１９のニで示す方向に浮き上がる。これにより、付加フィルター部２の取り出しがし易くなる。このように本体９から立設させた高さ規定用のリブを一部なくし、付加フィルター部２の浮きあがり部分に切り欠き部１０を設けるという簡単な構造だけで、付加フィルター部２を容易に取り出すことができるものとなる。
【００３９】
図２０、図２１は付加フィルター部２の端面に剛性のない取り出し片１４を設けた場合を示している。この例では、基本フィルター部１の厚みと付加フィルター部２の厚みと壁面８の立ちあがり高さと切り欠き部１０の深さとの間を、Ｔ≒ｔ1＋ｔ2，Ｔ1＞ｔ1の関係に設定してある。これにより図２１に示す付加フィルター部２の端部に設けた剛性のない取り出し片１４が切り欠き部１０に位置するようになり、この取り出し片１４を手でつかんで引っ張ることで、付加フィルター部２を簡単に取り出すことができる。
【００４０】
図２２は本体９から立設した壁面８に、付加フィルター部２を浮かせるためのフィルター取り出し用の回転レバー１５を設けた場合を示している。この回転レバー１５を図２１（ｂ）の矢印ホで示す方向に指で押すだけで、回転レバー１５の回動により付加フィルター部２が背後から矢印ヘで示す方向に押されて付加フィルター部２が浮きあがり、取り出しが容易となる。
【００４１】
図２３は付加フィルター部２の端面に基本フィルター部１と係合可能な引掛け用リブ１６を設けた場合を示している。引掛け用リブ１６は付加フィルター部２の両側の端面から基本フィルター部１の方向に突出しており、先端に設けた鉤形部分が基本フィルター部１の前面にそれぞれ着脱自在に係止することで、基本フィルター部１と付加フィルター部２とが一体に係合するものであり、一体にすることで切り欠き部１０から基本フィルター部１の端面をつかんで取り出したときに、付加フィルター部２も一緒に取り出すことができると共に、付加フィルター部２を基本フィルター部１から簡単に取り外すことができるようになる。
【００４２】
図２４は本体９から立設した壁面８に、付加フィルター部２を浮かせるためのスライドレバー１７を設けた場合を示している。スライドレバー１７の溝６０は斜め上方に傾斜しており、スライドレバー１７を図２４（ｃ）の矢印トの方向にスライドさせるだけで、図２４（ｂ）のように付加フィルター部２を浮き上がらせて取り出すことができる。
【００４３】
図２５、図２６は本体９にラッチ１８を設け、付加フィルター部２にラッチ１８と係合する突起１９を設け、付加フィルター部２の突起１９の部分を押圧することでラッチ１８と突起１９との係合、及び係合解除ができるように構成されている場合を示している。しかして、付加フィルター部２を本体９に付加するときには、付加フィルター部２を押すだけで突起１９がラッチ１８と係合して付加フィルター部２が固定される。また、付加フィルター部２を取り出す時には、再度付加フィルター部２の突起１９の部分を押すことにより、ラッチ１８と突起１９との係合が解除されて、付加フィルター部２が浮き上がり、付加フィルター部２の取り出しがしやすくなる。なお、図２５、図２６の例ではラッチ１８及び突起１９を付加フィルター部２の下流側のコーナー部に寄せて設置しているが、その位置は特に限定されないものである。
【００４４】
図２７は付加フィルター部２の端面に剛性のある取り出し片２０を一体に設け、付加フィルター部２の周囲端面に弾性のあるシール材２１を貼り付け、本体９には上記シール材２１に当接するリブ２２を略四角形状に設けた場合を示している。しかして、切り欠き部１０に取り出し片２０が位置することで付加フィルター部２の取り出しが容易となり、しかも、付加フィルター部２を本体９に付加した時に、付加フィルター部２の外周に設けたシール材２１が本体９に設けた四角形状のリブ２２に当接することによって、運転時において、フィルター端面からの空気のリークを防止でき、シール性を高めることができて空気清浄器４の性能を上げることができるものである。
【００４５】
【発明の効果】
上述のように請求項１記載の発明にあっては、粉塵を除去する除塵フィルター、悪臭を脱臭する脱臭フィルター、有害ガスを除去する有害ガス除去フィルター等で構成される基本フィルター部と、粉塵や悪臭を含んだ空気を吸引するモーターファンとを具備している空気清浄器であって、脱臭又は特定のガスを除去するための付加フィルター部を上記基本フィルター部に付加し、基本フィルター部と付加フィルター部との端面にそれぞれ当接する壁面を本体から立設させ、この壁面の高さを両フィルター部の当接面より高くし、上記基本フィルター部のフィルター端面を波形に形成し、この波形の面を本体から立設した左右の壁面に当接させると共に、左右の壁面の一部に基本フィルター部の取り出し用の切り欠き部を切り欠き形成したので、既存の基本フィルター部の機能に加えて、ユーザーのニーズに対応した目的別の脱臭又は特定のガス除去等を付加フィルター部によって得ることができ、一台の空気清浄器で色々なユーザーのニーズに対応できるものである。また基本フィルター部と付加フィルター部との端面にそれぞれ当接する壁面を本体から立設させ、この壁面の高さを両フィルター部の当接面より高くしたので、基本フィルター部と付加フィルター部との重なる部分からの空気のリークを本体から立設する壁面によって防止でき、フィルター端面でのシール性を高めることができる。さらに、基本フィルター部のフィルター端面を波形に形成し、波形の面を本体から立設した左右の壁面に当接させると共に、左右の壁面の一部に基本フィルター部の取り出し用の切り欠き部を切り欠き形成したので、切り欠き部からフィルター端面に手を掛けて取り出しやすくし、且つ、波形の面によってフィルター端面に手を掛けたとき、基本フィルター部が変形しにくくなり、基本フィルター部の取り出しが容易となる。
【００４６】
また請求項２記載の発明は、請求項１記載の効果に加えて、付加フィルター部の枠体を板状体で構成したので、付加フィルター部自体が自己保形性を有することにより、既存の基本フィルター部に対して付加する際に、付加フィルター部を基本フィルター部とは別に独立して本体に容易に取り付け可能となる。
【００４７】
また請求項３記載の発明は、請求項１記載の効果に加えて、付加フィルター部の付加後と付加前とで、モーターファンからの空気の吸引量を変更可能に制御するので、付加フィルター部の付加後にもモーターファンからの空気の吸引量が減少することがなく、除塵性能を維持できるようになる。
【００４８】
また請求項４記載の発明は、請求項１記載の効果に加えて、付加フィルター部の有無をモーターファンの回転数により検知して空気の吸引量を変更可能に制御するので、付加フィルター部の付加後に、モーターファンの回転数を検知して風量が低下しない回転数に制御することで除塵性能を維持することができる。
【００４９】
また請求項５記載の発明は、請求項１記載の効果に加えて、付加フィルター部の有無を検知して、空気の吸引量を変更可能に制御するので、付加フィルター部の付加時に風量が低下しないモーターファンの回転が得られるように制御することで、除塵性能の低下を防ぐことができる。
【００５０】
また請求項６記載の発明は、請求項１記載の効果に加えて、付加フィルター部の付加時に空気の吸引量を変更可能に制御する手動のスイッチを備えているので、付加フィルター部の付加時にユーザーがスイッチを手動で操作して、風量が低下しない吸引量に変更することで除塵性能を維持することができる。
【００５１】
また請求項７記載の発明は、請求項１記載の効果に加えて、付加フィルター部の付加後に、空気の吸引量が変わらない送風特性としたので、例えばフィルターの圧力損失が変化しても風量が変化しない領域でモーターファンを使用することで、基本フィルター部のみの風量と基本フィルター部と付加フィルター部の両方の風量とに大きな差がなくなり、従って、除塵性能に差がなくなり、風量が低下しないように制御できるものである。
【００５４】
また請求項８記載の発明は、請求項１記載の効果に加えて、基本フィルター部の前面に設置されるグリルに、本体から立設した壁面の切り欠き部を閉塞するための閉塞片を設けたので、壁面の切り欠き部の深さをさらに深くすることで、基本フィルター部がより取り出しやすくなり、さらに切り欠き部からのリークを防ぐため、グリルに閉塞片を突出させてあるので、切り欠き部の深さを深くした場合でも空気のリークを防止できるものである。
【００５５】
また請求項９記載の発明は、請求項１記載の効果に加えて、本体から付加フィルター部の背面に当接する高さ規定用リブを立設し、該高さ規定用リブは、付加フィルター部の一端側を押し込み可能とすると共に、付加フィルター部の一端側の押し込み時に一端側とは反対側を浮かせて取り出し可能に支持してなるので、付加フィルター部の一端側を押すと、反対側が浮き上がることで、付加フィルター部が取り出しが一層容易となる。
【００５６】
また請求項１０記載の発明は、請求項１記載の効果に加えて、付加フィルター部の端面に剛性のない取り出し片を設けたので、取り出し片が手でつかみ易くなり、この取り出し片を手で引っ張ることで、付加フィルター部をより簡単に取り出すことができる。また付加フィルター部を取替えるだけで、異なる目的のフィルター機能に簡単に変更できるようになる。
【００５７】
また請求項１１記載の発明は、請求項１記載の効果に加えて、本体から立設した壁面に付加フィルター部を浮かせるためのフィルター取り出し用の回転レバーを設けたので、回転レバーの操作によって付加フィルター部が浮きあがることで、取り出しが一層容易となる。
【００５８】
また請求項１２記載の発明は、請求項１記載の効果に加えて、付加フィルター部の端面に基本フィルター部と係合可能な引掛け用リブを設けたので、引掛け用リブによって基本フィルター部と付加フィルター部とが一体に係合し、一体になれば切り欠き部から基本フィルター部の端面をつかんで取り出したときに、付加フィルター部も一緒に取り出すことができる。
【００５９】
また請求項１３記載の発明は、請求項１記載の効果に加えて、本体から立設した壁面に、付加フィルター部を浮かせるためのスライドレバーを設けたので、スライドレバーをスライドさせることで、付加フィルター部を浮き上がらせて取り出すことができる。
【００６０】
また請求項１４記載の発明は、請求項１記載の効果に加えて、本体にラッチを設け、付加フィルター部にラッチと係合する突起を設け、付加フィルター部の突起の部分を押圧することでラッチと突起との係合、及び係合解除ができるように構成されているので、付加フィルター部を本体に付加するときには、付加フィルター部の突起の部分を押すだけで突起がラッチと係合して付加フィルター部が固定されるようになり、付加フィルター部を取り出す時には、再度付加フィルター部の突起の部分を押すことにより、ラッチと突起との係合が解除されて、付加フィルター部が浮き上がり、付加フィルター部の取り出しがしやすくなる。
【００６１】
また請求項１５記載の発明は、請求項１記載の効果に加えて、付加フィル部の端面に剛性のある取り出し片を一体に設け、付加フィルター部の外周に弾性のあるシール材を取着し、本体に上記シール材に当接するリブを略四角形状に設けたので、切り欠き部によって付加フィルター部の取り出しを容易にした構造に加えて、付加フィルター部を本体に付加した時に、付加フィルター部のシール材が本体に設けた略四角形状のリブに当接することで、運転時においてフィルター端部からの空気のリークを防止でき、シール性を高めることができて空気清浄器の性能を上げることができる。
【図面の簡単な説明】
【図１】本発明の実施形態の一例を示す分解斜視図である。
【図２】（ａ）（ｂ）（ｃ）は同上の空気清浄器の正面図、平面図、側面図である。
【図３】（ａ）（ｂ）（ｃ）は同上のグリルを取り外した状態の空気清浄器の正面図、平面図、側面図である。
【図４】同上の付加フィルター部を付加しない場合の分解斜視図である。
【図５】図４の空気の流れを説明する断面図である。
【図６】（ａ）（ｂ）は同上の基本フィルター部の一部省略断面図、及び斜視図である。
【図７】同上の切り欠き部を説明する斜視図である。
【図８】同上の付加フィルター部を付加した場合の断面図である。
【図９】（ａ）は同上の付加フィルター部の断面図、（ｂ）は斜視図である。
【図１０】他の実施形態の正面図である。
【図１１】更に他の実施形態の断面図である。
【図１２】図１１において付加フィルター部を付加した状態の断面図である。
【図１３】更に他の実施形態の正面図である。
【図１４】同上の風量と圧力との関係を示すグラフである。
【図１５】更に他の実施形態の分解斜視図である。
【図１６】更に他の実施形態の分解斜視図である。
【図１７】更に他の実施形態の分解斜視図である。
【図１８】更に他の実施形態の正面図である。
【図１９】図１８の付加フィルター部の取り出しを説明する斜視図である。
【図２０】更に他の実施形態の分解斜視図である。
【図２１】更に他の実施形態の斜視図である。
【図２２】（ａ）（ｂ）は更に他の実施形態の断面図である。
【図２３】更に他の実施形態の分解斜視図である。
【図２４】（ａ）（ｂ）は更に他の実施形態の断面図、（ｃ）は斜視図である。
【図２５】更に他の実施形態の斜視図である。
【図２６】（ａ）は図２５のラッチと突起の分解斜視図、（ｂ）は突起付き付加フィルター部の斜視図である。
【図２７】更に他の実施形態の分解斜視図である。
【符号の説明】
１  基本フィルター部
１ｃ  フィルター端面
２  付加フィルター部
２ａ  フィルター端面
３  モーターファン
４  空気清浄器
５  枠体
６  手動のスイッチ
８  壁面
９  本体
１０  切り欠き部
１１  グリル
１２  閉塞片
１３  高さ規定用リブ
１４，２０  取り出し片
１５  回転レバー
１６  引掛け用リブ
１７  スライドレバー
１８  ラッチ
１９  突起
２０  取り出し片本
２１  シール材
２２  リブ
【図１】
0003772590.tif 000002
【図２】
0003772590.tif 000003
【図３】
0003772590.tif 000004
【図４】
0003772590.tif 000005
【図５】
0003772590.tif 000006
【図６】
0003772590.tif 000007
【図７】
0003772590.tif 000008
【図８】
0003772590.tif 000009
【図９】
0003772590.tif 000010
【図１０】
0003772590.tif 000011
【図１１】
0003772590.tif 000012
【図１２】
0003772590.tif 000013
【図１３】
0003772590.tif 000014
【図１４】
0003772590.tif 000015
【図１５】
0003772590.tif 000016
【図１６】
0003772590.tif 000017
【図１７】
0003772590.tif 000018
【図１８】
0003772590.tif 000019
【図１９】
0003772590.tif 000020
【図２０】
0003772590.tif 000021
【図２１】
0003772590.tif 000022
【図２２】
0003772590.tif 000023
【図２３】
0003772590.tif 000024
【図２４】
0003772590.tif 000025
【図２５】
0003772590.tif 000026
【図２６】
0003772590.tif 000027
【図２７】
0003772590.tif 000028